【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
第１の電気ケーブル及び第２の電気ケーブルを備える電気ケーブルアセンブリであって、それぞれのケーブルが、前記ケーブルアセンブリの長さに沿って延在し、かつ前記ケーブルアセンブリの幅に沿って互いに離間配置される複数の導体セットを備え、前記第１の電気ケーブルが、それぞれが少なくとも２つの絶縁導体を備える少なくとも第１の導体セット及び第２の導体セットを備え、前記第２の電気ケーブルのそれぞれの導体セットが、少なくとも１つの絶縁導体を備え、前記第１及び第２の電気ケーブルのそれぞれの導体セットが、
前記電気ケーブルの対向する第１の側面及び第２の側面に配設される第１のキャリアフィルム及び第２のキャリアフィルムであって、前記第１のキャリアフィルム及び第２のキャリアフィルムが、カバー部分及び挟まれた部分を含み、横断面において、前記第１のキャリアフィルム及び第２のキャリアフィルムの前記カバー部分が合同して、各導体セットを実質的に取り囲み、前記第１のキャリアフィルム及び第２のキャリアフィルムの前記挟まれた部分が合同して、各導体セットの各側面に前記ケーブルの挟まれた部分を形成するように配置される、第１のキャリアフィルム及び第２のキャリアフィルムと、
前記ケーブルの前記挟まれた部分内に前記第１のキャリアフィルム及び第２のキャリアフィルムを結合する接着剤層と、を備え、
前記第１の電気ケーブル及び第２の電気ケーブルが、それぞれのケーブルのそれぞれの導体セットが他方のケーブルの挟まれた部分内に配設されるように配置され、
前記第１の電気ケーブル及び第２の電気ケーブルのうちの少なくとも一方が、前記ケーブルを通って延在する前記ケーブルの前記挟まれた部分内にスロットを含み、前記スロットが、前記挟まれた部分の幅を超えないスロット幅と、前記ケーブルの前記長さ未満であるスロット長とを有し、前記スロットが、前記挟まれた部分内に配設される前記他方のケーブルの導体セットの絶縁導体が前記スロットを少なくとも部分的に貫通することを可能にするのに十分な幅である、電気ケーブルアセンブリ。
【請求項２】
内部に導体セットを収容する前記第１及び第２の電気ケーブル内のそれぞれの挟まれた部分がスロットを含み、前記収容された導体セットの前記絶縁導体のうちの少なくともいくつかの少なくとも一部分が、前記対応するスロットを通って前記挟まれた部分の反対側へ誘導される、請求項１に記載の電気ケーブルアセンブリ。
【請求項３】
複数の導体セットを備える電気ケーブルアセンブリであって、前記複数の導体セットが、前記ケーブルの長さに沿って延在し、かつ前記ケーブルの幅に沿って互いに離間配置され、前記複数の導体セットが、少なくとも２つの絶縁導体を備える少なくとも１つの導体セットを備え、それぞれの導体セットが、
前記電気ケーブルの対向する第１の側面及び第２の側面に配設される第１の遮蔽フィルム及び第２の遮蔽フィルムであって、前記第１の遮蔽フィルム及び第２の遮蔽フィルムが、カバー部分及び挟まれた部分を含み、横断面において、前記第１のキャリアフィルム及び第２のキャリアフィルムの前記カバー部分が合同して、各導体セットを実質的に取り囲み、前記第１のフィルム及び第２のフィルムの前記挟まれた部分が合同して、各導体セットの各側面に前記ケーブルの挟まれた部分を形成するように配置される、第１の遮蔽フィルム及び第２の遮蔽フィルムと、
前記ケーブルの前記挟まれた部分で前記第１の遮蔽フィルム及び第２の遮蔽フィルムを結合する接着剤層と、を備え、
それぞれの導体と交差する平面からの前記電気ケーブルの挟まれた部分の第１の最大離隔距離が、それぞれの導体と交差する前記平面からの、前記挟まれた部分の両側面の前記カバー部分の第２の最大離隔距離よりも大きい、電気ケーブルアセンブリ。
【請求項４】
一対の絡み合う電気ケーブルを備える電気ケーブルアセンブリであって、それぞれの電気ケーブルが請求項３に記載のものであり、それぞれのケーブルのそれぞれの導体セットが他方のケーブルの挟まれた部分内に配設されるように、前記一対の電気ケーブルが配置される、電気ケーブルアセンブリ。
【請求項５】
複数の導体セットを備える電気ケーブルアセンブリであって、前記複数の導体セットが、前記ケーブルの長さに沿って延在し、かつ前記ケーブルの幅に沿って互いに離間配置され、それぞれの導体セットが、
少なくとも１つの絶縁導体と、
前記電気ケーブルの対向する第１の側面及び第２の側面に配設される第１のキャリアフィルム及び第２のキャリアフィルムであって、前記第１キャリアフィルム及び第２のキャリアフィルムが、カバー部分及び挟まれた部分を含み、横断面において、前記第１のキャリアフィルム及び第２のキャリアフィルムの前記カバー部分が合同して、各導体セットを実質的に取り囲み、前記第１のキャリアフィルム及び第２のキャリアフィルムの前記挟まれた部分が合同して、各導体セットの各側面に前記ケーブルの挟まれた部分を形成するように配置される、第１キャリアフィルム及び第２のキャリアフィルムと、
前記ケーブルの前記挟まれた部分で前記第１のキャリアフィルム及び第２のキャリアフィルムを結合する接着剤層と、
それぞれの第１のキャリアフィルムに固着され、隣接する導体セット間において延在する第１のキャリアフィルムと、を備え、
前記第１のキャリアフィルムが、前記第１のキャリアフィルム又は第２のキャリアフィルムより低い弾性率を有する、電気ケーブルアセンブリ。
【請求項６】
一対の絡み合う電気ケーブルを備える電気ケーブルアセンブリであって、それぞれの電気ケーブルが請求項５に記載のものであり、それぞれのケーブルのそれぞれの導体セットが他方のケーブルの隣接するカバー部分間に配設されるように、前記一対の電気ケーブルが配置される、電気ケーブルアセンブリ。
【請求項７】
第１の複数の導体セットと、第２の複数のドレイン線とを備える、電気ケーブルアセンブリであって、前記第１の複数の導体セットが、前記ケーブルの長さに沿って延在し、かつ前記ケーブルの幅に沿って互いに離間配置され、前記第２の複数のドレイン線が、前記ケーブルの前記長さに沿って延在し、それぞれの導体セットが、
少なくとも１つの絶縁導体と、
前記電気ケーブルの対向する第１の側面及び第２の側面に配設される第１の遮蔽フィルム及び第２の遮蔽フィルムであって、前記第１の遮蔽フィルム及び第２の遮蔽フィルムが、カバー部分及び挟まれた部分を含み、横断面において、前記第１の遮蔽フィルム及び第２の遮蔽フィルムの前記カバー部分が合同して、各導体セットを実質的に取り囲み、前記第１の遮蔽フィルム及び第２の遮蔽フィルムの前記挟まれた部分が合同して、各導体セットの各側面に前記ケーブルの挟まれた部分を形成するように配置される、第１の遮蔽フィルム及び第２の遮蔽フィルムと、
前記ケーブルの前記挟まれた部分で前記第１の遮蔽フィルム及び第２の遮蔽フィルムを結合する接着剤層と、を備え、
前記ケーブルが平らにされるとき、前記絶縁導体が第１の中性面を画定し、前記第２の複数のドレイン線なしに前記ケーブルが、前記第１の中性面と一致しない第２の中性面を画定し、前記第２の複数のドレイン線と共に前記ケーブルが、前記第１の中性面と一致する第３の中性面を画定する、電気ケーブルアセンブリ。
【請求項８】
一対の絡み合う電気ケーブルを備える電気ケーブルアセンブリであって、それぞれの電気ケーブルが、請求項７に記載のものであり、それぞれのケーブルのそれぞれの導体セットが他方のケーブルの一部分内に配設されるように、前記一対の電気ケーブルが配置される、電気ケーブルアセンブリ。